(57)【要約】【課題】ゲームに先立ちゲーム主催者が長時間をかけてシャッフルを行う必要がなく、かつ、不正行為の入り込む余地のないシャッフルトランプカードを提供する。【解決手段】所定数のデッキを構成するトランプカード１２をシャッフル機によりシャッフルして得られる１組のシャッフルトランプカードセット１である。このシャッフルトランプカードセット１は、１組ずつ個別に包装されており、固有のシャッフルトランプＩＤをあらわすバーコード１３ａを印刷したシール１３で封緘されている。シャッフルトランプＩＤは、そのトランプのシャッフルに関与したシャッフル機を特定可能な情報に関連付けてデータベースに登録される。【選択図】図１
2011024603.tif 000002
【特許請求の範囲】
【請求項１】
所定数のデッキを構成するトランプカードをシャッフル機によりシャッフルして１組のシャッフルトランプを組むシャッフルステップと、
前記シャッフルステップを経たシャッフルトランプを１組ずつ個別に包装する包装ステップと、
前記シャッフルステップを行うシャッフル機のシャッフル完了の信号をもとに、前記シャッフルステップを経たシャッフルトランプの組毎に異なるシャッフルトランプＩＤを情報処理装置において作成するＩＤ生成ステップと、
前記シャッフルトランプＩＤを、前記シャッフルトランプの包装にＩＤコードとして付与するＩＤ付与ステップと、
前記シャッフルトランプＩＤを、当該シャッフルトランプＩＤが付与されたシャッフルトランプのシャッフルステップに関与したシャッフル機を特定可能な情報に関連付けてデータベースに登録するＩＤ登録ステップとを含むことを特徴とする、シャッフルトランプカードの製造方法。
【発明の詳細な説明】
【技術分野】
【０００１】
本発明は、トランプゲームに用いられるトランプカードに関し、特に、十分ランダムにシャッフルされた（切り混ぜられた）状態で個別包装されたシャッフルトランプカードと、その製造方法に関する。
【背景技術】
【０００２】
ポーカー、バカラ、ブリッジ、またはブラックジャック等の各種のトランプゲームにおいては、ディーラーが、１デッキもしくは複数デッキのトランプカードをカードシュータ等にセットし、そこから一枚ずつ繰り出して、ゲーム参加者にカードを配る。このとき、ゲームの公平性を担保するために、それらのカードはランダムに配られる必要があるので、ゲーム主催者は、カードシュータにセットする前に、トランプカードを十分にランダムにシャッフルしておかなければならない。
【０００３】
なお、カードをシャッフルするための従来のカードシャッフル装置が、例えば特許文献１に開示されている。
【０００４】
【特許文献１】特開２００５−１９８６６８号公報
【発明の開示】
【発明が解決しようとする課題】
【０００５】
しかし、ゲーム主催者がゲームに先立ってシャッフルを行う場合、シャッフルに長い時間を要することがあり、ゲームの効率的な運用を妨げる要因となっていた。また、ゲームの主催者がシャッフルを行うと、カードの抜き差しや差し替え等の不正行為が行われる余地があるという問題があった。
【０００６】
本発明は、上記の問題に鑑みなされたものであって、ゲームに先立ちゲーム主催者が長時間をかけてシャッフルを行う必要がなく、かつ、不正行為の入り込む余地のないシャッフルトランプカードおよびその製造方法を提供することを目的とする。
【課題を解決するための手段】
【０００７】
上記の目的を達成するために、本発明にかかるシャッフルトランプカードの製造方法は、所定数のデッキを構成するトランプカードをシャッフル機によりシャッフルして１組のシャッフルトランプを組むシャッフルステップと、前記シャッフルステップを経たシャッフルトランプを１組ずつ個別に包装する包装ステップと、前記シャッフルステップを行うシャッフル機のシャッフル完了の信号をもとに、前記シャッフルステップを経たシャッフルトランプの組毎に異なるシャッフルトランプＩＤを情報処理装置において作成するＩＤ生成ステップと、前記シャッフルトランプＩＤを、前記シャッフルトランプの包装にＩＤコードとして付与するＩＤ付与ステップと、前記シャッフルトランプＩＤを、当該シャッフルトランプＩＤが付与されたシャッフルトランプのシャッフルステップに関与したシャッフル機を特定可能な情報に関連付けてデータベースに登録するＩＤ登録ステップとを含むことを特徴とする。
【発明の効果】
【０００８】
本発明によれば、ゲームに先立ち、ゲーム主催者が長時間をかけてシャッフルを行う必要がなく、かつ、不正行為の入り込む余地のないシャッフルトランプカードを提供することが可能となる。
【発明を実施するための最良の形態】
【０００９】
以下、図面を参照しながら、本発明にかかるシャッフルトランプカードおよびその製造方法の一実施形態について説明する。
【００１０】
図１（ａ）および（ｂ）は、本発明の一実施形態にかかるシャッフルトランプカードセット（個別包装済み）の外観を示す斜視図である。図１（ａ）および（ｂ）に示すように、本実施形態にかかるシャッフルトランプカードセット１は、紙箱１１の中に十分にシャッフルされたトランプカード１２が収納され、その蓋がシール１３によって封緘されたものである。トランプカード１２は、それが用いられるゲームの種類等に応じて、所定数のデッキ（例えば４デッキまたは８デッキ等）に構成されている。なお、この例では、紙箱による包装形態を例示しているが、包装の形態はこれに限定されない。例えば、プラスティック箱を用いることも可能である。また、箱に限らず、紙または樹脂フィルム等の包装紙によって包装され、シールで封緘された形態であっても良い。要は、ゲーム開始前に封が開けられて、カードの順番が並べ替えられたり、カードの挿入または抜き出しがなされたり、あるいは、カードに何らかの印が付けられたりといった不正行為が不可能な包装形態であれば良い。
【００１１】
シール１３には、バーコード１３ａおよび仕様表１３ｂが印刷されている。バーコード１３ａは、後に詳述するが、シャッフルトランプカードセット１を個別に特定可能なＩＤ（シャッフルトランプＩＤ）を表している。仕様表１３ｂは、必須ではないが、例えば、このトランプカードの製造番号、品番、品名、色、製造年月日等の任意の情報を記載することができる。
【００１２】
図１（ａ）および（ｂ）から分かるように、シャッフルトランプカードセット１は、紙箱１１の蓋の開封口がシール１３によって封緘されているので、このシャッフルトランプカードセット１を使用する際には、シール１３を剥がすか破断しなければならない。なお、不正行為を防止するために、シール１３は、一旦剥がすと元の状態に接着することができない材料で形成されているか、剥がそうとする外力が加わると少なくともその一部が破断される形態であることが好ましい。
【００１３】
以上のとおり、本実施形態にかかるシャッフルトランプカードセット１は、十分ランダムにシャッフルされたトランプカード１２が、シール１３によって封緘された個別の包装（紙箱１１）に入れられているので、このシャッフルトランプカードセット１をゲームに使用する際は、紙箱１１を開けてすぐにトランプカード１２をカードシュータにセットすればよい。したがって、ゲーム主催者がトランプカードをシャッフルする手間を省くことができる。また、シャッフルする際に、トランプカードの抜き差しや差し替え等の不正行為が介在する余地がなくなる。
【００１４】
次に、本実施形態にかかるシャッフルトランプカードセット１の製造方法について説明する。
【００１５】
本実施形態にかかるシャッフルトランプカードセット１の製造工程においては、工程管理システムによって、受注から出荷まで一貫した工程管理がなされることが好ましい。この実施形態では、そのような工程管理システムを利用した製造工程について説明する。
【００１６】
まず、顧客から受注した際に、シャッフルトランプカードセット１の製造者は、受注番号を起番して工程管理システムへ入力する。この受注番号の起番の方法および入力方法は任意であり、工程管理システムが受注番号の起番を自動的に行ってもよい。
【００１７】
本実施形態にかかるシャッフルトランプカードセット１は、従来のトランプカードと同じく、カード原紙の一面にスートとランクとを印刷し、裏面に絵柄を印刷し、印刷済みのカード原紙を切断機により個別のカードにカッティングする工程を経て作成されたトランプカードを用いて製造される。そして、そのトランプカードを、その用途（どのようなゲームに使用されるか）に応じて、所定数のデッキを構成する枚数分集めて十分にランダムにシャッフルし、個別包装して封緘したものが、上述のシャッフルトランプカードセット１である。
【００１８】
カード原紙への印刷の前に、シャッフルトランプカードセット１の製造者は、原紙関連情報（例えば、メーカ、製品名、購入日、紙ロット番号等）を工程管理システムへ入力する。また、印刷工程においては、シャッフルトランプカードセット１の製造者は、印刷工程関連情報（印刷機番号、印刷日時、ロット番号等）を工程管理システムへ入力する。さらに、カッティング工程においても、シャッフルトランプカードセット１の製造者は、カッティング工程関連情報（切断機番号、印刷日時、ロット番号等）を工程管理システムへ入力する。このように、各工程で入力された情報のうち所要の情報が、後に説明するように、工程管理システムのデータベース上において、シャッフルトランプＩＤに関連付けられる。
【００１９】
次に、シャッフル工程について説明する。
【００２０】
図２は、本実施形態にかかるシャッフルトランプカードセット１を製造する工程において、トランプカードをシャッフルする際に用いられるシャッフル機１００の概略構成を示す図である。図２に示すように、シャッフル機１００は、カードスタック１０１と、カードフィーダ１０２と、スライドレール１０３と、フィーダ移動ローラ１０４と、カード送り出しローラ１０５と、カメラ１０６（または後述するカードセンサ１０９）と、画像処理部１０８とを備えている。
【００２１】
カードスタック１０１は、複数のポケット１０１ａ〜１０１ｇを備えている。なお、図２の構成においては、カードスタック１０１が７個のポケットを備えた構成を例示したが、ポケットの個数は任意である。各ポケット間には、可動式の仕切り板１０７ａ〜１０７ｆが設けられている。カードフィーダ１０２は、シャッフルすべきトランプカードをセットすると、その底部に設けられているカード送り出しローラ１０５が回転することに伴い、カードフィーダ１０２内の最下部にあるカードｃが、カードフィーダ１０２の下部側面に設けられたカード送り出し口からカードスタック１０１へ向けて送り出される仕組みになっている。また、カードフィーダ１０２は、モータ（図示せず）等の駆動手段により駆動されるフィーダ移動ローラ１０４によって、スライドレール１０３に沿って鉛直方向（上下）にスライド移動可能に構成されている。
【００２２】
上記の構成により、シャッフル機１００は、ポケット１０１ａ〜１０１ｇのいずれかに対向する位置へのカードフィーダ１０２のスライド移動と、カードフィーダ１０２からポケットへのカードｃの送り出しとを、交互に行う。なお、シャッフル機１００は、カードフィーダ１０２をポケット１０１ａ〜１０１ｇのどれに対向する位置へ移動させるかを、乱数発生プログラム等を用いてランダムに決定する。これにより、カードフィーダ１０２にセットされたカードは、１枚ずつランダムな順序で、カードスタック１０１のポケット１０１ａ〜１０１ｇへ送り出される。そして、カードフィーダ１０２にセットされた全てのカードがカードスタック１０１に送り出されると、カードスタック１０１において、仕切り板１０７ａ〜１０７ｆがカードスタック１０１内部から退行することにより、ポケット１０１ａ〜１０１ｇのそれぞれに仕分けされたカードが、１つに積層された状態で、シャッフル機１００から取り出される。ただし、上記の仕切り板１０７ａ〜１０７ｆの退行は必須ではなく、他の任意の代替手段を用いることができる。例えば、ロボットアーム等でポケット１０１ａ〜１０１ｇのそれぞれからカードを取り出す構成であっても良い。ここまでが、シャッフル機１００によって行われる１回のシャッフル工程である。このシャッフル工程を経ることにより、カードフィーダ１０２にセットされた１組のトランプカードは、ある程度シャッフルされた状態となる。カードフィーダ１０２のスライド移動が高いランダム性を持って制御される場合は、シャッフル機１００によって上記のシャッフル工程を１回行うだけでも、十分ランダムにシャッフルされたシャッフルトランプカードを組むことができる。ただし、このようなシャッフル工程を実行するシャッフル機１００を複数台用いてシャッフル工程を複数回繰り返すことにより、シャッフルトランプカードにおけるカードの並びのランダム性を、さらに向上させることができる。
【００２３】
なお、カードフィーダ１０２において、トランプカードは、表面（スートとランクが印刷された面）が下方（カメラ１０６側）を向くようにセットされる。カメラ１０６は、カードフィーダ１０２からカードスタック１０１へカードｃが送り出される毎に当該カードｃの画像を撮影する。撮影された画像は、画像処理部１０８へ送られる。各シャッフル機１００におけるカメラ１０６および画像処理部１０８の機能は、以下に説明するように、製造ラインにおける当該シャッフル機１００の位置によって異なる。
【００２４】
図３は、本実施形態にかかるシャッフルトランプカードセット１の製造ラインの一部を示す模式図である。この製造ラインは、上記の構成を有するシャッフル機１００を、複数台連続して並べたものである。なお、図３においては、シャッフル機１００が３台（シャッフル機１００ａ〜１００ｃ）並べられた製造ラインを例示するが、シャッフル機１００の台数は３台に限定されず、これよりも少なくても良いし、多くても良い。シャッフル機１００ａは、図２に示されたとおりの構成であるが、シャッフル機１００ｂ，１００ｃは、カメラ１０６の代わりにカードセンサ１０９を備えている。カードセンサ１０９は、センサ上を通過するカードの枚数をカウントする機能を有している。
【００２５】
図３に示すように、所定数のデッキを構成する１組のトランプカードが、まず、シャッフル機１００ａのカードフィーダ１０２にセットされる。そして、シャッフル機１００ａにおいて上述のシャッフル工程が行われた１組のトランプカードは、シャッフル機１００ｂのカードフィーダ１０２にセットされる。そして、シャッフル機１００ｂで上述のシャッフル工程が行われた１組のトランプカードは、さらにシャッフル機１００ｃのカードフィーダ１０２にセットされる。なお、シャッフル機１００ａ〜１００ｃにおいて、カードフィーダ１０２のスライド移動は互いに独立して制御される。このように、シャッフル機１００ａ〜１００ｃによる複数回のシャッフル工程を経ることにより、トランプカードの並びのランダム性は、さらに向上する。
【００２６】
また、シャッフル機１００ａにおいては、カメラ１０６が撮影したカード表面の画像は、このシャッフル機１００ａ〜１００ｃを含む製造ラインを管理する工程管理システムの画像処理部１０８において、画像解析処理により、カードフィーダ１０２からカードスタック１０１へ送り出されるカードのスートおよびランクが検出される。すなわち、シャッフル機１００ａにおいて、カードフィーダ１０２からカードスタック１０１へカードが送り出される毎に、そのカードのスートおよびランクが検出され、カードフィーダ１０２にセットされた１組のカードの全てがカードスタック１０１に送り出された時点で、当該１組のカードに含まれているべきスートとランクの組み合わせに過不足がないかが確認される。例えば、１組のカードが６デッキで構成されている場合、当該１組のカードには、スートとランクとの組み合わせが同じカードが６枚含まれているはずである。ここで、スートとランクの組み合わせに過不足があった場合は、当該１組のカードは不良品として廃棄される。なお、画像処理部１０８では、スートとランクの確認に加えて、各カードの汚れの有無、切断状態の良否、裏柄のデザイン等を検査し、各カードが所定の規格に合ったものであるか否かも検査し、不良があったカードの組は廃棄される。
【００２７】
２回目以降のシャッフル工程を行うシャッフル機１００ｂ，１００ｃにおいては、カードセンサ１０９が設けられ、カードセンサ１０９上を通過したカードの枚数をカウントする。このように、シャッフル機１００ｂ，１００ｃにおいては、シャッフルすべき１組のカードの枚数を確認し、最終製品におけるカードの過不足を検査している。また、初回のシャッフル工程を行うシャッフル機１００ａにおいては、図４に示すように、カードの裏面（絵柄の面）がカメラ１０６に向くようにミラー１１０を設けるか、またはカードの裏面を撮影するもう１台のカメラ（図示せず）を設けて、カードの両面を同時に検査することが好ましい。
【００２８】
なお、最終シャッフル工程を行うシャッフル機１００ｃにおいてシャッフルが完了すると、シャッフル機１００ｃは、シャッフル完了信号を出力する。そして、工程管理システムは、このシャッフル完了信号を検知すると、最終シャッフル工程を経て完成された１組のシャッフルトランプに付与すべきシャッフルトランプＩＤを生成する。このシャッフルトランプＩＤは、シャッフルトランプカードセット１のそれぞれに対して固有のＩＤとして生成される。工程管理システムは、生成したシャッフルトランプＩＤを、工程管理システムのデータベース上で、当該データベースに格納されている生産関連情報のうち所定の情報に関連付ける。なお、シャッフルトランプＩＤと関連付けられる情報の種類や容量は任意であるが、シャッフル工程に関与した製造ラインまたはシャッフル機を特定する情報は特に重要である。
【００２９】
すなわち、本実施形態にかかるシャッフルトランプカードセット１の製造者は、複数の製造ラインを有する場合、各製造ラインに対して、固有の製造ラインＩＤをあらかじめ付与しておく。そして、工程管理システムは、シャッフルトランプＩＤを生成した際に、生成したシャッフルトランプＩＤを、そのシャッフルトランプの製造に関与した製造ラインの製造ラインＩＤと関連付けて、データベースへ登録する。なお、このように製造ライン単位のＩＤに限らず、シャッフル機のそれぞれにあらかじめシャッフル機ＩＤを付与し、シャッフル工程に関与した全てのシャッフル機ＩＤに関連付けて、シャッフルトランプＩＤをデータベースへ登録することとしても良い。
【００３０】
このように、シャッフルトランプカードセット１のシャッフルトランプＩＤと、当該シャッフルトランプカードセット１の製造に関与した製造ラインまたはシャッフル機のＩＤとを関連付けてデータベースへ登録することにより、次のような利点がある。
【００３１】
例えば、シャッフルトランプカードセット１を購入した顧客が、購入したカードに何らかの不良があったことに気付いた場合に、当該顧客は、シャッフルトランプカードセット１の製造者にシャッフルトランプＩＤを知らせる。これにより、製造者は、このシャッフルトランプＩＤに基づいてデータベースを検索することにより、不良が生じた可能性がある製造ラインまたはシャッフル機を特定することができる。このような場合、製造者は、同じ時期に同じ製造ラインまたはシャッフル機にて製造されたシャッフルトランプカードセット１について顧客に注意を喚起したり、必要な場合には、製品の破棄を依頼したりまたは製品を回収したりするといった対策をとることもできる。また、製造者は、特定された製造ラインまたはシャッフル機を検査することにより、不良品の再発を防ぐことができる。
【００３２】
また、納品の際に、納品対象のシャッフルトランプカードセット１に関するデータ（シャッフルトランプＩＤおよびこれに関連付けられた情報）をデータベースから可搬型の記憶媒体へダウンロードし、この記憶媒体を添付して顧客へ納品しても良い。なお、データベースから記憶媒体へのダウンロードデータのデータ構造（フォーマット）は、顧客のコンピュータにおいて参照可能であることを条件として、任意である。この場合、顧客側において、例えばカードの折れ曲がり等の不良を発見した場合に、不良があったシャッフルトランプカードセット１のシャッフルトランプＩＤに基づいて、この記憶媒体上のデータを検索することができる。また、その検索結果に基づいて、同じ製造ラインまたはシャッフル機が関与しているシャッフルトランプカードセット１を破棄する等の対策をとることが可能となる。また、顧客への納品物の中に、不正目的のシャッフルトランプカードセット１が混入していたとしても、顧客側で、記憶媒体に格納されているシャッフルトランプＩＤと納品物のシャッフルトランプＩＤとを照合チェックすることにより、納品時に提供された記憶媒体内に存在しないシャッフルトランプＩＤを有するシャッフルトランプカードセット１があることが判明すれば、そのシャッフルトランプカードセット１が不正目的で混入されたものであると判断できる。これにより、第三者による不正品の混入が防止できる。
【００３３】
なお、上記の実施形態においては、製造ラインＩＤまたはシャッフル工程を行ったシャッフル機ＩＤをシャッフルトランプＩＤに関連付けてデータベースへ記憶する例を示したが、シャッフルトランプＩＤに含めるべき情報はこれに限定されない。例えば、上記の実施形態では、シャッフル機１００にカメラ１０６が内蔵され、シャッフルと同時に、画像処理部１０８の画像解析処理によって、カードが揃っているか否かを検査する例を示した。しかし、変形例として、それぞれのシャッフル工程の後に、カメラ１０６および画像処理部１０８を含む検査機を設け、シャッフル機１００ａ〜１００ｃによってシャッフルが完了したカードをこの検査機に投入することにより、全てのカードが揃っているか否かを検査する構成としても良い。この場合、検査機にあらかじめ検査機ＩＤを付与しておき、それぞれのシャッフルトランプカードセット１に対して付与するシャッフルトランプＩＤとして、この検査機ＩＤを含めるようにしても良い。
【００３４】
また、その他にも、印刷工程に関与した印刷機のＩＤ、カッティング工程に関与した切断機のＩＤ、包装工程に関与した包装機のＩＤ、原紙のロット番号、製造日、製造日時、カードの品種を表すＩＤ、顧客ＩＤ等の様々な情報をシャッフルトランプＩＤに含めることが可能である。この場合、これらの情報を、当該情報が含まれたシャッフルトランプＩＤに関連付けてデータベースへ登録すればよい。
【００３５】
また、上記の実施形態においては、シャッフルトランプＩＤをバーコードとして印刷したシール１３によって紙箱１１を封緘する例を示した。しかし、本発明の実施態様はこれに限定されない。シャッフルトランプＩＤを、いわゆるＱＲコード等の二次元マトリックスコードとして包装に付与しても良い。また、シャッフルトランプＩＤを、封緘シール以外の箇所に記録することも可能である。すなわち、包装に直接にまた、シャッフルトランプＩＤを記録する製法を採用しても良い。例えば、レーザ光を照射すること等により、シャッフルトランプＩＤを包装に付与することが可能である。また、シャッフルトランプＩＤを、ＰＦＩＤまたはＲＦＩＤ（いわゆるＩＣタグ）として包装に添付することも好ましい。
【００３６】
さらに、本実施形態においては、１つのシャッフルトランプセット１に対して１つのシャッフルトランプＩＤを付与する例を示したが、例えば、複数のシャッフルトランプセット１をカートン詰めし、カートン毎に固有のＩＤを付与しても良い。あるいは、複数カートンを輸送するためのコンテナ毎に固有のＩＤを付与しても良い。このような場合も、それぞれのＩＤをデータベースに登録することにより、後日に何らかの不良が発見された場合に、当該ＩＤに基づいてデータベース検索を行うことにより、不良があった製品の製造および流通履歴を把握することができる。
【００３７】
例えば、カートン詰め工程においては、シャッフルトランプセット１の所定数の箱が１カートンに詰められるが、このとき、カートン内のシャッフルトランプセット１のバーコード１３ａをバーコードリーダで読み取ることにより、１つのカートンに詰められたシャッフルトランプセット１のシャッフルトランプＩＤを、工程管理システムのデータベースへ容易に登録することができる。また、１カートン内の全てのシャッフルトランプセット１のバーコード１３ａの読み取りが完了すると、工程管理システムは、カートンを特定するＩＤ（カートンＩＤ）を生成し、このカートンＩＤを表すバーコードをシールに印刷するようにしてもよい。このシールをカートンに貼り付けることにより、カートン単位での管理が可能となる。なお、生成されたカートンＩＤは、そのカートンに詰められたシャッフルトランプセット１のシャッフルトランプＩＤと関連付けて、データベースに登録される。
【００３８】
同様に、所定数のカートンを１パレットに搭載し、複数パレットをコンテナに詰める際に、１パレットに搭載されている全てのカートンから、前記のカートンＩＤをバーコードリーダで読み取り、読み取ったカートンＩＤをパレットを特定するＩＤ（パレットＩＤ）に関連付けて、工程管理システムのデータベースへ登録しても良い。このとき、１パレット内の全てのカートンからのバーコード読み取りが完了すると、工程管理システムは、パレットを特定するＩＤ（パレットＩＤ）を生成し、このパレットＩＤを表すバーコードをシールに印刷する。このシールをパレットに貼り付けることにより、パレット単位での管理が可能となる。パレットをコンテナに積み込む際に、このパレットのバーコードを利用することにより、どのコンテナにどのパレットが積み込まれたかを記録することができる。
【００３９】
なお、このようにコンテナへの積み込みが完了すると、パレット単位またはコンテナ単位で、出荷情報（顧客名、出荷日、仕向け先、運送会社、便の種類等）が工程管理システムへ入力される。
【００４０】
以上のとおり、シャッフルトランプＩＤの包装だけではなく、カートンやパレット等にもカートンＩＤやパレットＩＤを添付することにより、カートン単位、パレット単位での管理が可能となる。すなわち、例えば、ある１つのシャッフルトランプセット１に何らかの不具合が発見された場合、そのシャッフルトランプセット１のシャッフルトランプＩＤに基づいて、当該シャッフルトランプセット１が入っていたカートン、パレット、コンテナのＩＤをデータベースから検索することができる。そして、不具合があったシャッフルトランプセット１の入っていたカートン、パレット、コンテナ単位での廃棄処分を行うことも可能となる。
【００４１】
また、上記の実施形態において例示したシャッフル機１００はあくまでも一例であり、シャッフル機の具体的構成は上記の例のみに限定されない。例えば、上記においては、カードフィーダ１０２がスライド移動する構成を示したが、カードフィーダ１０２は固定されており、カードスタック１０１がカードフィーダ１０２に対して相対的にスライド移動する構成であっても良い。また、カードフィーダ１０２からカードを送り出す構成についても、上述したような送り出しローラに限定されず、例えばロボットアームのような機構によってカードが取り出される構成としても良い。
【００４２】
以上、本発明の一実施形態を説明したが、本発明の技術的範囲は、以下の付記事項にも及ぶ。
【００４３】
［付記１］
原紙の一面にトランプカードのランクおよびスートを印刷する表面印刷ステップと、
原紙の他の面に裏絵柄を印刷する裏面印刷ステップと、
前記表面印刷ステップおよび裏面印刷ステップの両方を経た印刷済みのカード原紙を切断機により個別のトランプカードにカッティングするステップと、
前記カッティングするステップにおいて切断された個別のトランプカードを所定数のデッキを構成するように集めてシャッフルしシャッフルトランプを組むシャッフルステップと、
前記シャッフルステップで組まれた個別のシャッフルトランプを包装する包装ステップと、を含む製造工程を有し、
前記シャッフルステップを行うシャッフル機のシャッフル完了の信号をもとに、前記シャッフルされた個別のシャッフルトランプ毎に異なるシャッフルトランプＩＤを情報処理装置において作成し、
このシャッフルトランプＩＤを前記個別のシャッフルトランプの包装にＩＤコードの形式で付与するＩＤ付与ステップを含み、
前記ＩＤコードで表された前記シャッフルトランプＩＤが、対応する前記個別のシャッフルトランプのシャッフルステップに関与したシャッフル機の情報もしくはこのシャッフル機を含む前記製造工程に関与した生産ラインに関する情報に関連付けられてデータベースが構成され、前記シャッフルトランプＩＤをもとにして、前記個別のシャッフルトランプを構成する個別のトランプカードの製造工程におけるシャッフルステップに関与したシャッフル機もしくは前記シャッフル機を含む生産ラインが特定可能なように前記データベースが構成されていることを特徴とする、トランプカードの製造方法。
【００４４】
［付記２］
原紙の一面にトランプカードのランクおよびスートを印刷する表面印刷ステップと、
原紙の他の面に裏絵柄を印刷する裏面印刷ステップと、
前記表面印刷ステップおよび裏面印刷ステップの両方を経た印刷済みのカード原紙を切断機により個別のトランプカードにカッティングするステップと、
前記カッティングするステップにおいて切断された個別のトランプカードを所定数のデッキを構成するように集めてシャッフルしシャッフルトランプを組むシャッフルステップと、
前記シャッフルステップ中もしくはシャッフルステップの後に、前記シャッフルトランプを構成する所定数のデッキの個別のトランプカードが所定枚数そろっていることを検査機により検査する検査ステップと、
前記シャッフルステップで組まれた個別のシャッフルトランプを包装する包装ステップと、を含む製造工程を有し、
前記検査ステップにおける検査機による検査合格の信号をもとに、前記シャッフルされた個別のシャッフルトランプ毎に異なるシャッフルトランプＩＤを情報処理装置において作成し、
このシャッフルトランプＩＤを前記個別のシャッフルトランプの包装にＩＤコードの形式で付与するＩＤ付与ステップを含み、
前記前記シャッフルトランプＩＤが、対応する前記個別のシャッフルトランプの前記検査ステップに関与した検査機もしくは当該検査機を含む製造工程に関与した生産ラインに関する情報に関連付けられてデータベースが構成され、前記シャッフルトランプＩＤをもとにして、前記個別のシャッフルトランプを構成する個別のトランプカードの製造工程における検査ステップに関与した検査機もしくは前記検査機が属する生産ラインが特定可能なように前記データベースが構成されていることを特徴とする、トランプカードの製造方法。
【００４５】
［付記３］
前記表面印刷ステップおよび裏面印刷ステップの少なくとも一方の印刷を行った印刷機を特定するデータが情報処理装置に入力されるステップをさらに含み、
前記個別のシャッフルトランプの前記製造工程を行う前記生産ラインに関する情報には、前記印刷機を特定するデータが含まれ、前記シャッフルトランプＩＤをもとにして、前記個別のシャッフルトランプを構成する個別のトランプカードの生産ラインにおける前記印刷機が特定可能なように前記データベースが構成される、付記１または２に記載のトランプカードの製造方法。
【００４６】
［付記４］
前記個別のシャッフルトランプの製造工程を行う前記生産ラインに関する情報には、前記表面印刷ステップまたは裏面印刷ステップの対象となる原紙のロット番号が含まれ、前記個別のシャッフルトランプを特定する前記シャッフルトランプＩＤをもとにして、前記個別のシャッフルトランプを構成する個別のトランプカードに対応する前記ロット番号が特定可能なように前記データベースが構成される、付記１または２に記載のトランプカードの製造方法。
【００４７】
［付記５］
前記個別のシャッフルトランプを構成する所定数のデッキの数は１から１０のいずれかであることを特徴とする、付記１から４の何れかに記載のトランプカードの製造方法。
【００４８】
［付記６］
前記個別のシャッフルトランプが包装された状態のシャッフルトランプ複数個を、搬送箱に梱包する工程をさらに含み、前記搬送箱は個別に異なる搬送箱データが作成され、前記搬送箱の表面には対応する搬送箱データがＩＤコードで付与される工程をさらに含み、前記搬送箱内のシャッフルトランプを特定する前記シャッフルトランプＩＤと前記搬送箱データとが関連付けられて前記データベースに含まれる、付記１から５の何れかに記載のトランプカードの製造方法。
【００４９】
［付記７］
前記ＩＤコードは、前記シャッフルトランプＩＤで特定される前記シャッフルトランプについての製造日、製造日時、品種および顧客に関する情報の内いずれかをさらに含むことを特徴とする、付記１から６のいずれかに記載のトランプカードの製造方法。
【００５０】
［付記８］
前記シャッフルトランプＩＤを表すＩＤコードはバーコードの形式で対応するシャッフルトランプの包装に付されている、付記１から７のいずれかに記載のトランプカードの製造方法。
【００５１】
［付記９］
前記シャッフルトランプＩＤを表すＩＤコードはＱＲコード（二次元マトリックスコード）の形式で対応するシャッフルトランプの包装に付されている、付記１から７のいずれかに記載のトランプカードの製造方法。
【００５２】
［付記１０］
前記シャッフルトランプＩＤを表すＩＤコードはＰＦＩＤの形式で対応するシャッフルトランプの包装に付されている、付記１から７のいずれかに記載のトランプカードの製造方法。
【００５３】
［付記１１］
前記シャッフルトランプＩＤを表すＩＤコードはＩＣタグの形式で対応するシャッフルトランプの包装に付されている、付記１から７のいずれかに記載のトランプカードの製造方法。
【００５４】
［付記１２］
原紙の一面にトランプカードのランクおよびスートを印刷する表面印刷ステップと、
原紙の他の面に裏絵柄を印刷する裏面印刷ステップと、
前記表面印刷ステップおよび裏面印刷ステップの両方を経た印刷済みのカード原紙を切断機により個別のトランプカードにカッティングするステップと、
前記カッティングするステップにおいて切断された個別のトランプカードを集めてシャッフルし所定数のデッキからなるシャッフルトランプを組むシャッフルステップと、
前記シャッフルステップで組まれた個別のシャッフルトランプを包装する包装ステップと、を含む製造工程により製造され、
前記シャッフルステップにおけるシャッフルステップ完了の信号をもとに作成された個別のシャッフルトランプ毎に異なるシャッフルトランプＩＤが対応する前記個別のシャッフルトランプの包装に付されており、
前記シャッフルトランプＩＤは、対応する前記個別のシャッフルトランプの前記シャッフルステップに関与したシャッフル機の情報もしくはこのシャッフル機を含む製造工程に関与した生産ラインに関する情報に関連付けられて構成されたデータベースを用いて、前記個別のシャッフルトランプを構成する個別のトランプカードの製造工程におけるシャッフルステップに関与したシャッフル機もしくは前記シャッフル機を含む生産ラインが特定可能なように構成されていることを特徴とする、シャッフルトランプカード。
【００５５】
［付記１３］
原紙の一面にトランプカードのランクおよびスートを印刷する表面印刷ステップと、
原紙の他の面に裏絵柄を印刷する裏面印刷ステップと、
前記表面印刷ステップおよび裏面印刷ステップの両方を経た印刷済みのカード原紙を切断機により個別のトランプカードにカッティングするステップと、
前記カッティングするステップにおいて切断された個別のトランプカードを集めてシャッフルし所定数のデッキからなるシャッフルトランプを組むシャッフルステップと、
前記シャッフルステップ中もしくはシャッフルステップの後に、前記シャッフルトランプを構成する所定数のデッキにおいて個別のトランプカードが所定枚数そろっていることを検査機により検査するシャッフルトランプの検査ステップと、
前記シャッフルステップで組まれた個別のシャッフルトランプを包装する包装ステップと、を含む製造工程により製造され、
前記検査ステップにおける検査機の検査合格の信号をもとに作成された個別のシャッフルトランプ毎に異なるシャッフルトランプＩＤが対応する前記個別のシャッフルトランプの包装に付されており、
前記シャッフルトランプＩＤは、対応する前記個別のシャッフルトランプの前記検査ステップに関与した検査機もしくは当該検査機を含む前記製造工程に関与した生産ラインに関する情報に関連付けられて構成されたデータベースを用いて、前記個別のシャッフルトランプを構成する個別のトランプカードの製造工程における検査ステップに関与した検査機もしくは前記検査機が属する生産ラインが特定可能に構成されていることを特徴とする、シャッフルトランプカード。
【００５６】
［付記１４］
前記ＩＤコードは、前記シャッフルトランプＩＤで特定される前記シャッフルトランプについての製造日、製造日時、品種および顧客に関する情報の内いずれかをさらに含むことを特徴とする、付記１２または１３に記載のシャッフルトランプカード。
【００５７】
［付記１５］
前記所定数のデッキの数は１から１０のいずれかであることを特徴とする、付記１２から１４のいずれかに記載のシャッフルトランプカード。
【００５８】
［付記１６］
前記シャッフルトランプＩＤを表すＩＤコードはバーコードもしくは二次元マトリックスコード（ＱＲコードなど）の形式で対応するシャッフルトランプの包装に付されている、付記１２から１５のいずれかに記載のトランプカードの製造方法。
【００５９】
［付記１７］
前記ＩＤコードがラベルに印刷され、このラベルが前記シャッフルトランプの包装に付けられることを特徴とする、付記１６に記載のシャッフルトランプカード。
【００６０】
［付記１８］
前記ＩＤコードがレーザ光により個々のシャッフルトランプの包装に付されることを特徴とする、付記１６に記載のシャッフルトランプカード。
【００６１】
［付記１９］
前記シャッフルトランプＩＤを表すＩＤコードはＰＦＩＤの形式で対応するシャッフルトランプの包装に付されている、付記１２から１５のいずれかに記載のトランプカードの製造方法。
【００６２】
［付記２０］
前記シャッフルトランプＩＤを表すＩＤコードはＩＣタグの形式で対応するシャッフルトランプの包装に付されている、付記１２から１５のいずれかに記載のトランプカードの製造方法。
【００６３】
［付記２１］
前記個々のシャッフルトランプの包装には開封されたことを知るためのシールが付されている、付記１２から２０のいずれかに記載のシャッフルトランプカード。
【図面の簡単な説明】
【００６４】
【図１】（ａ）および（ｂ）は、本発明の一実施形態にかかるシャッフルトランプカードセット（個別包装済み）の外観を示す斜視図である
【図２】本発明の一実施形態にかかるシャッフルトランプカードセットの製造工程において、トランプカードをシャッフルする際に用いられるシャッフル機の概略構成を示す図である。
【図３】本発明の一実施形態にかかるシャッフルトランプカードセットの製造ラインの一部を示す模式図である。
【図４】本発明の一実施形態にかかるシャッフル機の概略構成の変形例を示す図である。
【符号の説明】
【００６５】
１      シャッフルトランプカードセット
１１    紙箱
１２    トランプカード
１３    シール
１３ａ  バーコード
１３ｂ  仕様表
１００  シャッフル機
１０１  カードスタック
１０２  カードフィーダ
１０３  スライドレール
１０４  フィーダ移動ローラ
１０５  カード送り出しローラ
１０６  カメラ
１０１ａ〜１０１ｇ  ポケット
１０７ａ〜１０７ｇ  仕切り板
１０８  画像処理部
１０９  カードセンサ
１１０  ミラー
【図１】
2011024603.tif 000003
【図２】
2011024603.tif 000004
【図３】
2011024603.tif 000005
【図４】
2011024603.tif 000006